(57)【要約】      （修正有）【課題】電池パックが粉じんや水気の影響を受けるのを防止する。【解決手段】電動作業機は、モータの駆動源となる電池パック５を密閉して収納する電池ケース７と、電池パック５により電力が供給される噴霧器に設けられ、電池ケース７が着脱可能に取り付けられるケース収納部とを備えている。電池ケース７は、電池パック５を収納するケース本体７１と、電池パック５の収納口を回動して開閉するボックスカバー７３とを備えている。ケース本体７１の両側壁には、ケース本体７１に収納された電池パック５を把持するための低背部７１１が設けられ、ボックスカバー７３の両側には低背部７１１に嵌め合わされる高背部７３１が設けられている。【選択図】図２
2013211186.tif 000002
【特許請求の範囲】
【請求項１】
電池パックを密閉して収納するケースと、
前記電池パックにより電力が供給されるモータと、
前記ケースが着脱可能に取り付けられるケース収納部とを備えることを特徴とする電動作業機。
【請求項２】
前記ケースは、電池パックを収納するケース本体と、前記電池パックの収納口を回動して開閉するカバーとを備え、
前記ケース本体の両側壁には、前記ケース本体に収納された電池パックを把持するための低背部が設けられ、前記カバーの両側には前記低背部に嵌め合わされる高背部が設けられていることを特徴とする請求項１に記載の電動作業機。
【請求項３】
前記ケースには、可撓部に形成された被係止部が設けられ、
前記ケース収納部には、前記被係止部を係止する係止部と、前記ケースの側面を支持する複数の凸部とが設けられていることを特徴とする請求項１又は２に記載の電動作業機。
【請求項４】
前記カバーには、ノブの操作に応じて前記ケース本体に係止し又はこの係止が解かれるロック用カムが備えられ、
前記ノブのシャフトには、前記ケース本体に対する前記ロック用カムの係止位置に応じた複数の異なる位置で前記電池パックを固定する電池固定用カムが設けられていることを特徴とする請求項１〜３の何れかに記載の電動作業機。
【発明の詳細な説明】
【技術分野】
【０００１】
本発明は、電池パックにより電力が供給される電動作業機に関する。
【背景技術】
【０００２】
下記の特許文献１の噴霧器では、一次電池又は二次電池を収容した電池ボックスがハウジングに着脱可能に接続される。
【先行技術文献】
【非特許文献】
【０００３】
【特許文献１】特開２０１２−３０１６６号公報
【発明の概要】
【発明が解決しようとする課題】
【０００４】
上記従来の電池ボックスでは、一次電池又は二次電池が電池ボックスから露出しているため、電池ボックス内の電池が粉じんや水気の影響を受ける虞があった。
【０００５】
本発明は斯かる課題に鑑みてなされたもので、上記課題を解決できる電動作業機を提供することを目的とする。
【課題を解決するための手段】
【０００６】
このような目的を達成するために、本発明の電動作業機は、電池パックを密閉して収納するケースと、前記電池パックにより電力が供給されるモータと、前記ケースが着脱可能に取り付けられるケース収納部とを備えることを特徴とする。
また、本発明は、前記ケースは、電池パックを収納するケース本体と、前記電池パックの収納口を回動して開閉するカバーとを備え、前記ケース本体の両側壁には、前記ケース本体に収納された電池パックを把持するための低背部が設けられ、前記カバーの両側には前記低背部に嵌め合わされる高背部が設けられていることを特徴とする。
また、本発明は、前記ケースには、可撓部に形成された被係止部が設けられ、前記ケース収納部には、前記被係止部を係止する係止部と、前記ケースの側面を支持する複数の凸部とが設けられていることを特徴とする。
また、本発明は、前記カバーには、ノブの操作に応じて前記ケース本体に係止し又はこの係止が解かれるロック用カムが備えられ、前記ノブのシャフトには、前記ケース本体に対する前記ロック用カムの係止位置に応じた複数の異なる位置で前記電池パックを固定する電池固定用カムが設けられていることを特徴とする。
【発明の効果】
【０００７】
本発明によれば、ケースに密閉して収納した電池パックを製品のケース収納部に取り付けるので、電池パックが粉じんや水気の影響を受けるのを防止できる。
【図面の簡単な説明】
【０００８】
【図１】本発明の一実施形態の噴霧器を示す正面図である。
【図２】図１の電池ユニットを示す斜視図である。
【図３】図１の電池ユニットを示す図で、（ａ）は断面図，（ｂ）は平面図である。
【図４】図１の電池ユニットを示す図で、（ａ）は断面図，（ｂ）は平面図である。
【図５】図３のロックレバーを示す図で、（ａ）はノブ側，（ｂ）はカムシャフト側から見た図である。
【図６】図１のケース収納部を示す図であり、電池ユニットの装着前を示している。
【図７】図１のケース収納部を示す図であり、電池ユニットの装着時を示している。
【発明を実施するための形態】
【０００９】
以下、図面を参照して、本発明の一実施形態を説明する。
【００１０】
まず、図面を参照して、本実施形態の噴霧器１の構成を説明する。
噴霧器１は、図１に示すように、本体２と、水や農薬等の液体を収容するタンク３と、タンク３に収容された液体を霧状にして噴射する噴霧管４とを備える。
【００１１】
本体２には、タンク３から噴霧管４に液体を供給するポンプ２２と、ポンプ２２を駆動するモータ２１とが収納されている。また、本体２には、モータ２１の駆動源となる電池パック５を備えた電池ユニット６が着脱可能に取り付けられている。噴霧管４には、液体を噴射するために操作されるトリガスイッチ４１と、液体の噴射量を調整するために操作される調整スイッチ４２とが備えられている。
【００１２】
次に、電池ユニット６の構成を説明する。
【００１３】
電池ユニット６は、図２に示すように、定格電圧（１４．４Ｖや１８．０Ｖ）が異なる複数種類の電池パック５を、選択的に且つ着脱可能に電池ケース７に取り付けて構成されている。電池ケース７は、電池パック５の収納部７２を備えたケース本体７１と、収納部７２を覆うボックスカバー７３とを備えており、四角箱状を呈している。
【００１４】
ケース本体７１の両側壁には、ケース本体７１に収納された電池パック５を把持するための低背部７１１が設けられている。ケース本体７１の両側壁に挟まれた一端面には、ケース本体７１の側方に撓む可撓片７１２が設けられている。ケース本体７１の側方を向いた可撓片７１２の一面には、図３，４に示すように、被係止部７１３が形成されている。
【００１５】
収納部７２の開口部の周縁には、シール材７２５が取り付けられている。また、収納部７２の一端部の内側面には、係止溝７２１が形成されている。収納部７２の他端部には、電池パック５の端子が接続されるターミナル７２２が設けられている。ターミナル７２２には、ケース本体７１の他端面に備えられたターミナル７２３が電線７２４で接続されている。
【００１６】
ボックスカバー７３は、ケース本体７１の他端にヒンジ部７４で支持されており、ヒンジ部７４を中心に回動して収納部７２を開閉する。ボックスカバー７３の両側には、図２に示すように、ケース本体７１の低背部７１１に嵌め合わされる高背部７３１が設けられている。ボックスカバー７３のケース本体７１側を向いた一面の周縁部には、シール材７３４が取り付けられている。
【００１７】
ボックスカバー７３には、ボックスカバー７３をロックするためのロックレバー８が取り付けられている。ロックレバー８は、図３，４に示すように、回転操作されるノブ８１と、ノブ８１の操作に応じて回転するカムシャフト８２とを、ボックスカバー７３に設けられた丸穴７３２を介してネジ８３で連結して構成され、丸穴７３２を軸心として回転する。
【００１８】
ノブ８１には、ボックスカバー７３に形成された回転位置表示７３３を指し示す指示部８１１が備えられている。回転位置表示７３３は、ロックレバー８の回転位置を示す表示であり、「開く」，「１４．４Ｖ」，「１８．０Ｖ」の３種類の表示が設けられている。回転位置表示７３３の「開く」は、ロックレバー８がボックスカバー７３のロックを解除した回転位置を示している。「１４．４Ｖ」は、ロックレバー８が定格電圧１４．４Ｖの電池パック５を位置決めしてボックスカバー７３をロックした回転位置を示している。「１８．０Ｖ」は、ロックレバー８が定格電圧１８．０Ｖの電池パック５を位置決めしてボックスカバー７３をロックした回転位置を示している。
【００１９】
カムシャフト８２には、図５に示すように、電池固定用カム８４が設けられている。電池固定用カム８４は、円筒状の小径部８４１と、小径部８４１の外周面から側方に突出した大径部８４２とで構成されている。電池固定用カム８４の大径部８４２と対向する位置からは、カムシャフト８２の周方向にロック用カム８６が延びている。
【００２０】
噴霧器１には、図６に示すように、電池ケース７が着脱可能に取り付けられるケース収納部１１が備えられている。ケース収納部１１は、本体２の一側面に開口しており、上下の両内面にはケースの両側面を挟み込んで支持する複数の凸部１１１が設けられている。また、ケース収納部１１の下側には、被係止部７１３を係止する係止孔１１２が設けられている。
【００２１】
次に、電池パック５を噴霧器１に取り付ける際の手順を説明する。
まず、図２に示すように、電池パック５を収納口から収納部７２に入れ、電池パック５の端子がターミナル７２２に接続されるまで、他端側にスライドさせる。続いて、ボックスカバー７３を回動させて収納部７２を閉じ、ボックスカバー７３の高背部７３１をケース本体７１の低背部７１１に嵌め合わせる。ボックスカバー７３を閉じたら、ノブ８１の指示部８１１が「開く」を向いてボックスカバー７３のロックが解除された状態から、「１４．４Ｖ」を向いた状態、又は、「１８．０Ｖ」を向いた状態までノブ８１を回転させる。
【００２２】
このとき、収納された電池パック５が定格電圧１８．０Ｖのものである場合には、図３に示すように、ノブ８１は、指示部８１１が「１８．０Ｖ」を向くまで回転させられる。これにより、ロック用カム８６がケース本体７１の係止溝７２１に進入してボックスカバー７３の回動が規制され、小径部８４１が電池パック５の一端面に当接して電池パック５の移動が規制される。
【００２３】
また、収納された電池パック５が定格電圧１４．４Ｖのものである場合には、図４に示すように、ノブ８１は、指示部８１１が「１４．４Ｖ」を向くまで回転させられる。これにより、ロック用カム８６がケース本体７１の係止溝７２１に進入してボックスカバー７３の回動が規制され、大径部８４２が電池パック５の一端面に当接して電池パック５の移動が規制される。ケース本体７１とボックスカバー７３との間は、シール材７２５とシール材７３４とが嵌め合わされてシールされている。
【００２４】
ボックスカバー７３のロックが済んだら、図６に太矢印で示すように、本体２の開口部から電池ケース７をケース収納部１１に入れる。このとき、電池ケース７はケース収納部１１内の複数の凸部１１１に両側面を支持されてケース収納部１１内を移動する。図７に示すように、電池ケース７がケース収納部１１内に収納されたら、ケース本体７１の可撓片７１２に形成された被係止部７１３がケース収納部１１の係止孔１１２に係止され、電池ケース７の移動が規制される。電池ケース７がケース収納部１１に収納されると、ケース本体７１のターミナル７２２がケース収納部１１の端子に電気的に接続され、電池パック５から本体２側に電力の供給が可能となる。
【００２５】
電池パック５を噴霧器１から取り外す際には、ケース本体７１の可撓片７１２を撓めて係止孔１１２の被係止部７１３への係止を解き、ケース収納部１１から電池ケース７を引き出す。続いて、ノブ８１を指示部８１１が「開く」を向くまで回転させる。これにより、ロック用カム８６がケース本体７１の係止溝７２１から退避し、小径部８４１又は大径部８４２の電池パック５への当接が解かれる。
【００２６】
この状態で、ボックスカバー７３を回動させて収納部７２を開き、ケース本体７１の低背部７１１から電池パック５の両側を把持してケース本体７１の一端側に移動させる。これにより、電池パック５の端子とターミナル７２２との接続が解かれる。続いて、電池パック５を収納部７２の収納口から引き出す。
【００２７】
本実施形態によれば、電池ケース７に密閉して収納した電池パック５を噴霧器１のケース収納部１１に取り付けるので、電池パック５が粉じんや水気の影響を受けるのを防止できる。
【００２８】
また、本実施形態によれば、ケース本体７１の両側壁に低背部７１１が設けられているので、電池パック５の両側を把持した手がケース本体７１の両側壁と干渉するのが防止される。
【００２９】
また、本実施形態によれば、可撓片７１２の被係止部７１３がケース収納部１１の係止孔１１２に係止されて電池ケース７がケース収納部１１内に位置決めされ、ケース収納部１１内を移動する電池ケース７が凸部１１１で支持されることから、ケース収納部１１への電池ケース７の着脱を容易に行うことできる。
【００３０】
また、本実施形態によれば、電池ケース７に収納する電池ユニット６のサイズに応じてロックレバー８の操作量を変えることで、異なる大きさの電池パック５の位置決めをボックスカバー７３のロックと共に行うことができる。
【００３１】
上記実施形態では、本体２の側面にケース収納部１１が開口している場合について説明したが、ケース収納部１１の開口位置は任意であり、上記実施形態での構成には限定されない。また、電池ケース７が着脱可能に取り付けられるのであれば、ケース収納部１１の構成も任意であり、本体２内に電池ケース７が収納される構成である必要はない。
【００３２】
また、電池パック５を密閉して収納できるのであれば、電池ケース７の構成は任意であり、例えば、ボックスカバー７３が回動して開閉する構成である必要はない。ケース本体７１の低背部７１１及びボックスカバー７３の高背部７３１の構成は、互いが嵌め合わされて電池ケース７を密閉できるのであれば任意であり、上記実施形態での構成には限定されない。また、電池ケース７をケース収納部１１内に位置決めできるのであれば、可撓片７１２，被係止部７１３，及び係止孔１１２の構成は任意である。
【００３３】
また、ケース本体７１に対するロック用カム８６の係止位置に応じた複数の異なる位置で電池パック５を固定できるのであれば、電池固定用カム８４の構成は任意である。例えば、上記実施形態では、電池固定用カム８４が１つの大径部８４２を備える構成であったが、径が異なる複数の大径部を備えていてもよい。また、１つの大径部８４２が電池パック５への当接位置に応じて電池パック５を異なる位置で固定できるよう構成されていてもよい。
【００３４】
また、上記実施形態では、電池固定用カム８４の外周面にロック用カム８６が設けられている場合について説明した。しかしながら、電池固定用カム８４及びロック用カム８６の構成は、ノブ８１の操作に応じてカムシャフト８２を中心として回転するのであれば任意であり、例えば、ロック用カム８６もカムシャフト８２に形成されていてもよい。本発明は、噴霧器１の他に洗浄機，ポンプ等の液体を送り出す作業機、ヘッジトリマ，バリカン等の草木を切断する作業機や、ドリル，ドライバ，セーバソー等の他の電動工具にも適用することができる。
【符号の説明】
【００３５】
１      噴霧器
１１    ケース収納部
１１１  凸部
１１２  係止孔
２      本体
２１    モータ
２２    ポンプ
３      タンク
４      噴霧管
４１    トリガスイッチ
４２    調整スイッチ
５      電池パック
６      電池ユニット
７      電池ケース
７１    ケース本体
７１１  低背部
７１２  可撓片
７１３  被係止部
７２    収納部
７２１  係止溝
７２２  ターミナル
７２３  ターミナル
７２４  電線
７２５  シール材
７３    ボックスカバー
７３１  高背部
７３２  丸穴
７３３  回転位置表示
７３４  シール材
７４    ヒンジ部
８      ロックレバー
８１    ノブ
８１１  指示部
８２    カムシャフト
８３    ネジ
８４    電池固定用カム
８４１  小径部
８４２  大径部
８６    ロック用カム
【図１】
2013211186.tif 000003
【図２】
2013211186.tif 000004
【図３】
2013211186.tif 000005
【図４】
2013211186.tif 000006
【図５】
2013211186.tif 000007
【図６】
2013211186.tif 000008
【図７】
2013211186.tif 000009